(57)【特許請求の範囲】
【請求項１】
無線基地局が管理するセルによって移動局に対して送信される上りユーザデータの送達確認チャネルの送信電力を制御する送信電力制御方法であって、
前記移動局がソフトハンドオーバー状態でない場合、前記セルが、非ソフトハンドオーバー状態における下り個別物理チャネルに対する電力オフセットに基づいて、前記送達確認チャネルの送信電力を決定し、該送達確認チャネルを前記移動局に対して送信する工程と、
無線回線制御局が、前記移動局が第1のセル及び第２のセルとの無線リンクを設定しているソフトハンドオーバー状態である旨を、前記第1のセル及び前記第２のセルを管理する１つ又は複数の無線基地局に対して通知する工程と、
前記第1のセルが、前記通知に応じて、前記非ソフトハンドオーバー状態における下り個別物理チャネルに対する電力オフセットより大きいソフトハンドオーバー状態における下り個別物理チャネルに対する電力オフセットに基づいて、第1の送達確認チャネルの送信電力を決定し、該第1の送達確認チャネルを前記移動局に対して送信する工程と、
前記第２のセルが、前記通知に応じて、前記非ソフトハンドオーバー状態における下り個別物理チャネルに対する電力オフセットより大きいソフトハンドオーバー状態における下り個別物理チャネルに対する電力オフセットに基づいて、第２の送達確認チャネルの送信電力を決定し、該第２の送達確認チャネルを前記移動局に対して送信する工程とを有することを特徴とする送信電力制御方法。
【請求項２】
無線基地局が管理するセルによって移動局に対して送信される上りユーザデータの送達確認チャネルの送信電力を制御する移動通信システムであって、
前記移動局がソフトハンドオーバー状態でない場合、前記セルが、非ソフトハンドオーバー状態における下り個別物理チャネルに対する電力オフセットに基づいて、前記送達確認チャネルの送信電力を決定し、該送達確認チャネルを前記移動局に対して送信するように構成され、
無線回線制御局は、前記移動局が第1のセル及び第２のセルとの無線リンクを設定しているソフトハンドオーバー状態である旨を、前記第1のセル及び前記第２のセルを管理する１つ又は複数の無線基地局に対して通知するように構成され、
前記第1のセルは、前記通知に応じて、前記非ソフトハンドオーバー状態における下り個別物理チャネルに対する電力オフセットより大きいソフトハンドオーバー状態における下り個別物理チャネルに対する電力オフセットに基づいて、第1の送達確認チャネルの送信電力を決定し、該第1の送達確認チャネルを前記移動局に対して送信するように構成され、
前記第２のセルは、前記通知に応じて、前記非ソフトハンドオーバー状態における下り個別物理チャネルに対する電力オフセットより大きいソフトハンドオーバー状態における下り個別物理チャネルに対する電力オフセットに基づいて、第２の送達確認チャネルの送信電力を決定し、該第２の送達確認チャネルを前記移動局に対して送信するように構成されることを特徴とする移動通信システム。
【発明の詳細な説明】
【技術分野】
【０００１】  本発明は、送信電力制御方法及び移動通信システムに関する。
【背景技術】
【０００２】  従来の移動通信システムでは、無線回線制御局ＲＮＣが、移動局ＵＥと無線基地局ＮｏｄｅＢとの間の個別物理チャネル（ＤＰＣＨ：Ｄｅｄｉｃａｔｅｄ  ｐｈｙｓｉｃａｌ  Ｃｈａｎｎｅｌ）を設定する際に、当該無線基地局ＮｏｄｅＢの受信用ハードウエアリソース（以下、ハードウエアリソース）や、上り無線リソース（上り干渉量）や、当該移動局ＵＥの送信電力や、当該移動局ＵＥの送信処理性能や、上位のアプリケーションが必要とする伝送速度等を鑑みて、上りユーザデータの伝送速度を決定し、当該移動局ＵＥ及び当該無線基地局ＮｏｄｅＢのそれぞれに対して、レイヤ３（Ｒａｄｉｏ  Ｒｅｓｏｕｒｃｅ  Ｃｏｎｔｒｏｌ  ｌａｙｅｒ）のメッセージとして通知するように構成されている。【０００３】  ここで、無線回線制御局ＲＮＣは、無線基地局ＮｏｄｅＢの上位に存在し、無線基地局ＮｏｄｅＢ及び移動局ＵＥを制御する装置である。【０００４】  一方、データ通信では、音声通話やＴＶ通話の場合と比べて、トラフィックがバースト的に発生することが多く、本来は、高速に、上りユーザデータの伝送速度を変更できることが望ましい。【０００５】  しかしながら、図１４に示すように、従来の移動通信システムでは、無線回線制御局ＲＮＣが、通常、多くの無線基地局ＮｏｄｅＢを統括して制御しており、無線回線制御局ＲＮＣにおける処理負荷及び処理遅延が増加することが想定されることから、高速な（例えば、１〜１００ｍｓ程度の）上りユーザデータの伝送速度の変更制御を行うことは困難であるという問題点があった。【０００６】  或いは、従来の移動通信システムにおいて、高速な上りユーザデータの伝送速度の変更制御を行うことができたとしても、装置の実装コストやネットワークの運用コストが大幅に高くなるという問題点があった。【０００７】  そのため、従来の移動通信システムでは、数１００ｍｓから数ｓ秒オーダーで、上りユーザデータの伝送速度の変更制御を行うのが通例である。【０００８】  したがって、従来の移動通信システムでは、図１５（ａ）に示すように、バースト的なデータ送信を行う場合、図１５（ｂ）に示すように、低速、高遅延及び低伝送効率を許容してデータを送信するか、又は、図１５（ｃ）に示すように、高速通信用の無線リソースを確保して、空き時間の無線帯域リソースや無線基地局ＮｏｄｅＢにおけるハードウエアリソースが無駄になるのを許容してデータを送信することとなる。【０００９】  ただし、図１５において、縦軸の上り無線リソースには、上述の無線帯域リソース及びハードウエアリソースの両方が当てはめられるものとする。【００１０】  そこで、第３世代移動通信システムの国際標準化団体である「３ＧＰＰ」及び「３ＧＰＰ２」において、上り無線リソースを有効利用するために、無線基地局ＮｏｄｅＢと移動局ＵＥとの間のレイヤ１及びＭＡＣサブレイヤ（レイヤ２）における高速な上り無線リソース制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。【００１１】  「上り回線エンハンスメント」が適用されている移動通信システムについて、図１７を参照して説明す���。【００１２】  図１７の例に示すように、移動通信システムでは、上りユーザデータの再送制御（ＨＡＲＱ：Ｈｙｂｒｉｄ  Ａｕｔｏｍａｔｉｃ  Ｒｅｐｅａｔ  Ｒｅｑｕｅｓｔ）を行うため、無線基地局ＮｏｄｅＢによって管理されているセルが、送達確認チャネルであるＥ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）を送信するように構成されている。【００１３】  すなわち、かかる移動通信システムでは、無線基地局ＮｏｄｅＢによって管理されているセルが、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）を介して送信された上りユーザデータの誤り検出（ＣＲＣチェック）を行い、受信確認信号（ＡＣＫ）又は受信否定信号（ＮＡＣＫ）を、Ｅ−ＨＩＣＨを用いて移動局ＵＥに通知することで、移動局ＵＥの上りユーザデータの再送制御を行うように構成されている。【００１４】  具体的には、図１７に示すように、Ｅ−ＤＰＤＣＨ＃１をセル＃２に送信した移動局ＵＥは、セル＃２からＥ−ＨＩＣＨ＃１（ＡＣＫ）を受信すると、後続のＥ−ＤＰＤＣＨをセル＃２に送信する。一方、当該移動局ＵＥは、セル＃２からＥ−ＨＩＣＨ＃１（ＮＡＣＫ）を受信する場合、送信した上りユーザデータＥ−ＤＰＤＣＨ＃１をセル＃２に再送するように構成されている。【００１５】  一方、かかる移動通信システムにおいて、無線基地局ＮｏｄｅＢから送信される下り個別物理チャネル（以下：ＤＰＣＨ）の送信電力制御方法の一例として、ＴＰＣ（Ｔｒａｎｓｍｉｔ  Ｐｏｗｏｒ  Ｃｏｎｔｒｏｌ）コマンドを用いた閉ループ送信電力制御が知られている。【００１６】  図１８（ａ）を参照して、ＴＰＣコマンドを用いた閉ループ送信電力制御について説明する。図１８（ａ）に示すように、セル＃２から送信された下りＤＰＣＨを受信した移動局ＵＥは、受信した下りＤＰＣＨの受信電力に基づいて、無線基地局ＮｏｄｅＢ＃１に管理されるセル＃２における下りＤＰＣＨの送信電力の増減を決定し、決定した増減結果をＴＰＣコマンド（例えばＵＰ／Ｋｅｅｐ／Ｄｏｗｎコマンド）によりセル＃２へ送信するように構成されている。【００１７】  また、セル＃２は、移動局ＵＥから送信されたＴＰＣコマンドを用いて、移動局ＵＥへ送信する下りＤＰＣＨの送信電力を制御するように構成されている。【００１８】  また、かかる移動通信システムでは、セル＃２が、上述したＥ−ＨＩＣＨの送信電力を、下りＤＰＣＨの送信電力と所定のオフセット（Ｅ−ＨＩＣＨオフセット）とに基づいて決定するように構成されている。【００１９】  したがって、移動通信システムでは、ＴＰＣコマンドを用いた送信電力制御によって、移動局ＵＥにおいて、下りＤＰＣＨの受信電力が良好になることで、該下りＤＰＣＨに依存するＥ−ＨＩＣＨの受信電力も、良好になるように構成されている。【００２０】  次に、図１８（ｂ）を参照して、ソフトハンドオーバー（以下ＳＨＯ）状態の移動通信システムにおけるＴＰＣコマンドを用いた送信電力制御について説明する。【００２１】  かかる移動通信システムでは、移動局ＵＥが、図１８（ｂ）に示すように、セル＃２及びセル＃４との無線リンクを設定しているＳＨＯ状態で、セル＃２及びセル＃４から送信された同一のＤＰＣＨ＃１を受信する場合、移動局ＵＥは、セル＃２及びセル＃４から受信したＤＰＣＨ＃１を合成し、合成したＤＰＣＨ＃１の受信電力に基づいて、セル＃２及びセル＃４におけるＤＰＣＨ＃１の送信電力の増減を決定するように構成されている。【００２２】  そして、かかる移動局ＵＥは、ＴＰＣコマンドを用いて、決定した増減結果をセル＃２及びセル＃４へ送信するように構成されている。【００２３】  なお、かかる移動通信システムでは、セル＃２から送信されるＥ−ＨＩＣＨ＃１の送信電力は、セル＃２から送信されるＤＰＣＨ＃１の送信電力と所定のオフセット（Ｅ−ＨＩＣＨオフセット）とに基づいて決定されるように構成されている。【００２４】  また、セル＃４から送信されるＥ−ＨＩＣＨ＃２の送信電力は、セル＃４から送信されるＤＰＣＨ＃２の送信電力と所定のオフセット（Ｅ−ＨＩＣＨオフセット）とに基づいて決定するように構成されている。【００２５】  また、図１８（ｂ）に示すように、かかる移動通信システムでは、移動局ＵＥが、セル＃２及びセル＃４との無線リンクを設定しているＳＨＯ状態である場合、移動局ＵＥにおいて、セル＃４から送信されたＤＰＣＨ＃１の受信電力が不足している場合であっても、セル＃２から送信されたＤＰＣＨ＃１の受信電力が良好であれば、合成したＤＰＣＨ＃１の受信電力は、良好になるため、ＤＰＣＨ＃１を受信することが可能であった。【００２６】  よって、移動局ＵＥは、このような場合、ＤＰＣＨ＃１の送信電力を増加する必要がないので、セル＃４からのＤＰＣＨ＃１の送信電力を増加させるＴＰＣコマンド（例えばＵＰコマンド）を送信しない。
【非特許文献１】３ＧＰＰ  ＴＳＧ−ＲＡＮ  Ｒ２−０５−１３９８
【発明の開示】
【発明が解決しようとする課題】
【００２７】  かかる場合、図１９に示すように、セル＃４から送信されるＥ−ＨＩＣＨ＃２の送信電力は、セル＃４から送信されるＤＰＣＨ＃１の送信電力に依存するため、移動局ＵＥにおいて、ＤＰＣＨ＃１の受信電力が不足する場合、Ｅ−ＨＩＣＨ＃２の受信電力も不足することとなる。【００２８】  したがって、移動通信システムでは、移動局ＵＥは、セル＃２及びセル＃４との無線リンクを設定しているＳＨＯ状態である場合、セル＃２から送信されるＥ−ＨＩＣＨ＃１を受信することができるが、セル＃４から送信されるＥ−ＨＩＣＨ＃２を受信することができなかった。【００２９】  そのため、図１９に示すように、移動局ＵＥが送信したＥ−ＤＰＤＣＨ＃１に対して、セル＃４がＥ−ＨＩＣＨ＃２（ＮＡＣＫ）を送信する場合、移動局ＵＥは、Ｅ−ＤＰＤＣＨ＃１を再送せずに、セル＃２から送信されるＥ−ＨＩＣＨ＃１（ＡＣＫ）に基づいて、後続の上りユーザデータを送信してしまうという問題点があった。【００３０】  そこで、本発明は、以上の点に鑑みてなされたもので、ＳＨＯ状態の場合でもＥ−ＨＩＣＨを、移動局ＵＥに確実に到達させることができる送信電力制御方法及び移動通信システムを提供することを目的とする。
【課題を解決するための手段】
【００３１】  本発明の第１の特徴は、無線基地局が管理するセルによって移動局に対して送信される上りユーザデータの送達確認チャネルの送信電力を制御する送信電力制御方法であって、前記移動局がソフトハンドオーバー状態でない場合、前記セルが、非ソフトハンドオーバー状態におけるオフセットに基づいて、前記送達確認チャネルの送信電力を決定し、該送達確認チャネルを前記移動局に対して送信する工程と、無線回線制御局が、前記移動局が第１のセル及び第２のセルとの無線リンクを設定しているソフトハンドオーバー状態である旨を、前記第１のセル及び前記第２のセルを管理する１つ又は複数の無線基地局に対して通知する工程と、
前記第１のセルが、前記通知に応じて、前記非ソフトハンドオーバー状態におけるオフセットより大きいソフトハンドオーバー状態におけるオフセットに基づいて、第１の送達確認チャネルの送信電力を決定し、該第１の送達確認チャネルを前記移動局に対して送信する工程と、前記第２のセルが、前記通知に応じて、前記非ソフトハンドオーバー状態におけるオフセットより大きいソフトハンドオーバー状態におけるオフセットに基づいて、第２の送達確認チャネルの送信電力を決定し、該第２の送達確認チャネルを前記移動局に対して送信する工程とを有することを要旨とする。【００３２】  本発明の第２の特徴は、無線基地局が管理するセルによって移動局に対して送信される上りユーザデータの送達確認チャネルの送信電力を制御する移動通信システムであって、前記移動局がソフトハンドオーバー状態でない場合、前記セルが、非ソフトハンドオーバー状態におけるオフセットに基づいて、前記送達確認チャネルの送信電力を決定し、該送達確認チャネルを前記移動局に対して送信するように構成され、無線回線制御局は、前記移動局が第１のセル及び第２のセルとの無線リンクを設定しているソフトハンドオーバー状態である旨を、前記第１のセル及び前記第２のセルを管理する１つ又は複数の無線基地局に対して通知するように構成され、前記第１のセルは、前記通知に応じて、前記非ソフトハンドオーバー状態におけるオフセットより大きいソフトハンドオーバー状態におけるオフセットに基づいて、第１の送達確認チャネルの送信電力を決定し、該第１の送達確認チャネルを前記移動局に対して送信するように構成され、前記第２のセルは、前記通知に応じて、前記非ソフトハンドオーバー状態におけるオフセットより大きいソフトハンドオーバー状態におけるオフセットに基づいて、第２の送達確認チャネルの送信電力を決定し、該第２の送達確認チャネルを前記移動局に対して送信するように構成されること要旨とする。
【発明の効果】
【００３３】  以上説明したように、本発明によれば、ＳＨＯ状態の場合でもＥ−ＨＩＣＨを、移動局ＵＥに確実に到達させることができる送信電力制御方法及び移動通信システムを提供することを目的とする。
【発明を実施するための最良の形態】
【００３４】（本発明の第１の実施形態に係る移動通信システム）
図１乃至図１２を参照して、本発明の第１の実施形態に係る移動通信システムの構成について説明する。本実施形態に係る移動通信システムは、通信容量や通信品質等の通信性能を向上させることを目的として設計されている。また、本実施形態に係る移動通信システムは、第３世代移動通信システムである「Ｗ−ＣＤＭＡ」や「ＣＤＭＡ２０００」に適応可能である。【００３５】  図１に、本実施形態に係る移動局ＵＥの概要構成例を示す。図１に示すように、移動局ＵＥは、バスインターフェース部１１と、呼処理制御部１２と、ベースバンド信号処理部１３と、送受信部１４と、送受信アンテナ１５とを具備する。また、移動局ＵＥは、アンプ部（図示せず）を具備するように構成されていてもよい。【００３６】  ただし、これらの構成は、必ずしもハードウエアとして独立して存在している必要はない。すなわち、各構成が、合体していてもよいし、ソフトウエアのプロセスによって構成されていてもよい。【００３７】  図２に、ベースバンド信号処理部１３の機能ブロックを示す。図２に示すように、ベースバンド信号処理部１３は、上位レイヤ機能部１３１と、ＲＬＣサブレイヤとして機能するＲＬＣ機能部１３２と、ＭＡＣ−ｄ機能部１３３と、ＭＡＣ−ｅ機能部１３４と、レイヤ１として機能するレイヤ１機能部１３５とを具備している。【００３８】  図３に示すように、ＲＬＣ機能部１３２は、上位レイヤ機能部１３１から受信したアプリケーションデータ（ＲＬＣ  ＳＤＵ）を、予め決められたＰＤＵサイズに分割し、順序整理処理や再送処理等に用いるＲＬＣヘッダを付与することによって、ＲＬＣ  ＰＤＵを生成して、ＭＡＣ−ｄ機能部１３３に渡す。【００３９】  ここで、ＲＬＣ機能部１３２とＭＡＣ−ｄ機能部１３３との間の橋渡しとして機能するパイプを「論理チャネル」とする。論理チャネルは、送受信するデータの内容によって分類され、通信を行う場合、１つのコネクションにおいて複数の論理チャネルを持つことが可能である。すなわち、複数の内容のデータ（例えば、制御データ及びユーザデータ等）を論理的に並列して送受信することができる。【００４０】  ＭＡＣ−ｄ機能部１３３は、論理チャネルを多重し、かかる多重に伴うＭＡＣ−ｄヘッダを付与することによって、ＭＡＣ−ｄ  ＰＤＵを生成する。なお、複数のＭＡＣ−ｄ  ＰＤＵは、ＭＡＣ−ｄフローとして、ＭＡＣ−ｄ機能部１３３からＭＡＣ−ｅ機能部１３４に転送されるものとする。【００４１】  ＭＡＣ−ｅ機能部１３４は、ＭＡＣ−ｄ機能部１３３からＭＡＣ−ｄフローとして受信した複数のＭＡＣ−ｄ  ＰＤＵをまとめてＭＡＣ−ｅヘッダを付与することによって、トランスポートブロックを生成し、生成したトランスポートブロックを、トランスポートチャネルを介してレイヤ１機能部１３５に渡す。【００４２】  また、ＭＡＣ−ｅ機能部１３４は、ＭＡＣ−ｄ機能部１３３の下位レイヤとして機能するものであって、ハイブリッドＡＲＱ（ＨＡＲＱ）による再送制御機能や、伝送速度制御機能を行うものである。【００４３】  具体的には、ＭＡＣ−ｅ機能部１３４は、図４に示すように、多重部１３４ａと、Ｅ−ＴＦＣ選択部１３４ｂと、ＨＡＲＱ処理部１３４ｃとを具備している。【００４４】  多重部１３４ａは、Ｅ−ＴＦＣ選択部１３４ｂから通知されたＥ−ＴＦＩ（Ｅｎｈａｎｃｅｄ−Ｔｒａｎｓｐｏｒｔ  Ｆｏｒｍａｔ  Ｉｎｄｉｃａｔｏｒ）に基づいて、ＭＡＣ−ｄ機能部１３３からＭＡＣ−ｄフローとして受信した上りユーザデータに対して多重化処理を行い、トランスポートチャネル（Ｅ−ＤＣＨ）を介して送信すべき上りユーザデータ（トランスポートブロック）を生成して、ＨＡＲＱ処理部１３４ｃに送信するように構成されている。【００４５】  以下、ＭＡＣ−ｄフローとして受信した上りユーザデータを「上りユーザデータ（ＭＡＣ−ｄフロー）」と示し、トランスポートチャネル（Ｅ−ＤＣＨ）を介して送信すべき上りユーザデータを「上りユーザデータ（Ｅ−ＤＣＨ）」と示す。【００４６】  ここで、Ｅ−ＴＦＩは、トランスポートチャネル（Ｅ−ＤＣＨ）上でＴＴＩごとにトランスポートブロックを供給するフォーマットであるトランスポートフォーマットの識別子であり、上述のＭＡＣ−ｅヘッダに付与されるものである。【００４７】  また、多重部１３４ａは、Ｅ−ＴＦＣ選択部１３４ｂから通知されたＥ−ＴＦＩに基づいて、上りユーザデータに適用される送信データブロックサイズを判断して、ＨＡＲＱ処理部１３４ｃに通知するように構成されている。【００４８】  なお、多重部１３４ａは、ＭＡＣ−ｄ機能部１３３からＭＡＣ−ｄフローとして上りユーザデータを受信した場合、当該上りユーザデータ用のトランスポートフォーマットを選択するためのＥ−ＴＦＣ選択情報を、Ｅ−ＴＦＣ選択部１３４ｂに通知するように構成されている。【００４９】  ここで、Ｅ−ＴＦＣ選択情報には、上りユーザデータのデータサイズや優先度クラス等が該当する。【００５０】  ＨＡＲＱ処理部１３４ｃは、Ｎチャネルのストップアンドウェイト（Ｎ−ＳＡＷ）プロトコルによって、レイヤ１機能部１３５から通知された上りユーザデータ用のＡＣＫ／ＮＡＣＫに基づいて、上りユーザデータ（Ｅ−ＤＣＨ）に係る再送制御処理を行うように構成されている。ここで、図５に、４チャネルのストップアンドウェイトプロトコルの動作例を示す。【００５１】  また、ＨＡＲＱ処理部１３４ｃは、多重部１３４ａから受信した上りユーザデータ（Ｅ−ＤＣＨ）、及び、ＨＡＲＱ処理に用いられるＨＡＲＱ情報（例えば、再送番号等）を、レイヤ１機能部１３５に送信するように構成されている。【００５２】  Ｅ−ＴＦＣ選択部１３４ｂは、上りユーザデータ（Ｅ−ＤＣＨ）に適用するトランスポートフォーマット（Ｅ−ＴＦ）を選択することによって、当該上りユーザデータの伝送速度を決定するように構成されている。【００５３】  具体的には、Ｅ−ＴＦＣ選択部１３４ｂは、無線基地局ＮｏｄｅＢから受信したスケジューリング情報（例えば、上りユーザデータの絶対伝送速度や相対伝送速度）や、ＭＡＣ−ｄ機能部１３３から渡されたＭＡＣ−ｄ  ＰＤＵのデータ量（上りユーザデータのデータサイズ）や、ＭＡＣ−ｅ機能部１３４において管理されている無線基地局ＮｏｄｅＢのハードウエアリソースの状態等に基づいて、上りユーザデータの送信実行又は送信停止を決定し、さらに、当該上りユーザデータの送信に適用されるトランスポートフォーマット（Ｅ−ＴＦ）を選択し、当該トランスポートフォーマットを識別するためのＥ−ＴＦＩをレイヤ１機能部１３５及び多重部１３４ａに通知するように構成されている。【００５４】  例えば、Ｅ−ＴＦＣ選択部１３４ｂは、上りユーザデータの伝送速度と、トランスポートフォーマットとを関連付けて記憶しており、レイヤ１機能部１３５からのスケジューリング情報に基づいて上りユーザデータの伝送速度を更新して、更新した上りユーザデータの伝送速度に関連付けられているトランスポートフォーマットを識別するためのＥ−ＴＦＩをレイヤ１機能部１３５及び多重部１３４ａに通知するように構成されている。【００５５】  ここで、Ｅ−ＴＦＣ選択部１３４ｂは、Ｅ−ＡＧＣＨを介して、スケジューリング情報として、移動局ＵＥのサービングセルからの上りユーザデータの絶対伝送速度を受信した場合、上りユーザデータの伝送速度を当該上りユーザデータの絶対伝送速度に変更する。【００５６】  また、Ｅ−ＴＦＣ選択部１３４ｂは、Ｅ−ＲＧＣＨを介して、スケジューリング情報として、移動局ＵＥの非サービングセルからの上りユーザデータの相対伝送速度（ＵＰコマンド又はＤＯＷＮコマンド）を受信した場合、その時点における上りユーザデータの伝送速度を、上りユーザデータの相対伝送速度に基づいて予め決められている速度だけ増加又は減少させる。【００５７】  本明細書において、上りユーザデータの伝送速度は、Ｅ−ＤＰＤＣＨを介して上りユーザデータを送信可能な速度であってもよいし、上りユーザデータを送信するための送信データブロックサイズ（ＴＢＳ）であってもよいし、Ｅ−ＤＰＤＣＨの送信電力であってもよいし、Ｅ−ＤＰＤＣＨとＤＰＣＣＨ（Ｄｅｄｉｃａｔｅｄ  Ｐｈｙｓｉｃａｌ  Ｃｏｎｔｒｏｌ  Ｃｈａｎｎｅｌ）との送信電力比（送信電力オフセット）であってもよい。【００５８】  図６に示すように、レイヤ１機能部１３５は、伝送チャネル符号化部１３５ａと、物理チャネルマッピング部１３５ｂと、Ｅ−ＤＰＤＣＨ送信部１３５ｃと、Ｅ−ＤＰＣＣＨ送信部１３５ｄと、Ｅ−ＨＩＣＨ受信部１３５ｅと、Ｅ−ＲＧＣＨ受信部１３５ｆと、Ｅ−ＡＧＣＨ受信部１３５ｇと、物理チャネルデマッピング部１３５ｈと、ＤＣＤＣＨ送信部１３５ｉとを具備している。【００５９】  伝送チャネル符号化部１３５ａは、図７に示すように、ＦＥＣ（Ｆｏｒｗａｒｄ  Ｅｒｒｏｒ  Ｃｏｌｌｅｃｔｉｏｎ）符号化部１３５ａ１と、伝送速度整合部１３５ａ２とを具備している。【００６０】  図７に示すように、ＦＥＣ符号化部１３５ａ１は、ＭＡＣ−ｅ機能部１３４から送信された上りユーザデータ（Ｅ−ＤＣＨ）、すなわち、トランスポートブロックに対して、誤り訂正符号化処理を施すように構成されている。【００６１】  また、図７に示すように、伝送速度整合部１３５ａ２は、誤り訂正符号化処理を施したトランスポートブロックに対して、物理チャネルの伝送容量に合わせるための「レペティション（ビット繰り返し）」や「パンクチャ（ビットの間引き）」を施すように構成されている。【００６２】  物理チャネルマッピング部１３５ｂは、伝送チャネル符号化部１３５ａからの上りユーザデータ（Ｅ−ＤＣＨ）をＥ−ＤＰＤＣＨにマッピングし、伝送チャネル符号化部１３５ａからの��−ＴＦＩ及びＨＡＲＱ情報をＥ−ＤＰＣＣＨにマッピングするように構成されている。【００６３】  Ｅ−ＤＰＤＣＨ送信部１３５ｃは、上述のＥ−ＤＰＤＣＨについての送信処理を行うように構成されており、Ｅ−ＤＰＣＣＨ送信部１３５ｄは、上述のＥ−ＤＰＣＣＨについての送信処理を行うように構成されている。【００６４】  Ｅ−ＨＩＣＨ受信部１３５ｅは、無線基地局ＮｏｄｅＢから送信されたＥ−ＨＩＣＨ（Ｅ−ＤＣＨ  ＨＡＲＱ  Ａｃｋｎｏｗｌｅｄｇｅｍｅｎｔ  Ｉｎｄｉｃａｔｏｒ  Ｃｈａｎｎｅｌ）を受信するように構成されている。【００６５】  Ｅ−ＲＧＣＨ受信部１３５ｆは、無線基地局ＮｏｄｅＢ（移動局ＵＥのサービングセル及び非サービングセル）から送信されたＥ−ＲＧＣＨを受信するように構成されている。【００６６】  Ｅ−ＡＧＣＨ受信部１３５ｇは、無線基地局ＮｏｄｅＢ（移動局ＵＥのサービングセル）から送信されたＥ−ＡＧＣＨを受信するように構成されている。【００６７】  物理チャネルデマッピング部１３５ｈは、Ｅ−ＨＩＣＨ受信部１３５ｅにより受信されたＥ−ＨＩＣＨに含まれる上りユーザデータ用のＡＣＫ／ＮＡＣＫを抽出してＭＡＣ−ｅ機能部１３４に送信するように構成されている。【００６８】  また、物理チャネルデマッピング部１３５ｈは、Ｅ−ＲＧＣＨ受信部１３５ｆにより受信されたＥ−ＲＧＣＨに含まれるスケジューリング情報（上りユーザデータの相対伝送速度、すなわち、ＵＰコマンド／ＤＯＷＮコマンド）を抽出してＭＡＣ−ｅ機能部１３４に送信するように構成されている。【００６９】  また、物理チャネルデマッピング部１３５ｈは、Ｅ−ＡＧＣＨ受信部１３５ｇにより受信されたＥ−ＡＧＣＨに含まれるスケジューリング情報（上りユーザデータの絶対伝送速度）を抽出してＭＡＣ−ｅ機能部１３４に送信するように構成されている。【００７０】  ＤＣＤＣＨ送信部１３５ｉは、移動局によって送信される上りユーザデータを送信するための上りユーザデータ送信用個別物理チャネル（ＤＰＤＣＨ：Ｄｅｄｉｃａｔｅｄ  Ｐｈｙｓｉｃａｌ  Ｄａｔａ  Ｃｈａｎｎｅｌ）についての送信処理を行うように構成されている。【００７１】  かかる上りユーザデータには、セルから送信された共通パイロット信号の受信電力の測定報告（Ｍｅａｓｕｒｅｍｅｎｔ  ｒｅｐｏｒｔ）が含まれている。【００７２】  図８は、本実施形態に係る無線基地局ＮｏｄｅＢの機能ブロック構成例である。図８に示すように、本実施形態に係る無線基地局ＮｏｄｅＢは、ＨＷＹインターフェース２１と、ベースバンド信号処理部２２と、送受信部２３と、アンプ部２４と、呼処理制御部２６と、送受信アンテナ２５とを具備する。【００７３】  ＨＷＹインターフェース２１は、当該無線基地局ＮｏｄｅＢの上位に位置する無線回線制御局ＲＮＣから、送信すべき下りユーザデータを受信して、ベースバンド信号処理部２２に入力するように構成されている。また、ＨＷＹインターフェース２１は、ベースバンド信号処理部２２からの上りユーザデータを、無線回線制御局ＲＮＣに送信するように構成されている。【００７４】  ベースバンド信号処理部２２は、下りユーザデータに対してチャネル符号化処理や拡散処理等のレイヤ１処理を行った後、かかる���りユーザデータを含むベースバンド信号を送受信部２３に送信するように構成されている。【００７５】  また、ベースバンド信号処理部２２は、ベースバンド信号処理部２２からのベースバンド信号に対して、逆拡散処理やＲＡＫＥ合成処理や、誤り訂正復号化処理等のレイヤ１処理を行った後、取得した上りユーザデータをＨＷＹインターフェース２１に送信するように構成されている。【００７６】  送受信部２３は、ベースバンド信号処理部２２からのベースバンド信号を無線周波数帯信号に変換するように構成されている。また、送受信部２３は、アンプ部２４からの無線周波数帯信号をベースバンド信号に変換するように構成されている。【００７７】  アンプ部２４は、送受信部２３からの無線周波数帯信号を増幅して、送受信アンテナ２５を介して送信するように構成されている。また、アンプ部２４は、送受信アンテナ２５において受信された信号を増幅して送受信部２３に送信するように構成されている。【００７８】  呼処理制御部２６は、無線回線制御局ＲＮＣとの間で、呼処理制御信号の送受信を行い、当該無線基地局ＮｏｄｅＢの各機能部の状態管理や、レイヤ３によるハードウエアリソース割り当て等の処理を行うように構成されている。【００７９】  図９は、ベースバンド信号処理部２２の機能ブロック図である。図９に示すように、ベースバンド信号処理部２２は、レイヤ１機能部２２１と、ＭＡＣ−ｅ機能部２２２とを具備している。【００８０】  図１０に示すように、レイヤ１機能部２２１は、Ｅ−ＤＰＣＣＨ逆拡散・ＲＡＫＥ合成部２２１ａと、Ｅ−ＤＰＣＣＨ復号部２２１ｂと、Ｅ−ＤＰＤＣＨ逆拡散・ＲＡＫＥ合成部２２１ｃと、バッファ２２１ｄと、再逆拡散部２２１ｅと、ＨＡＲＱバッファ２２１ｆと、誤り訂正復号部２２１ｇと、伝送チャネル符号化部２２１ｈと、物理マッピング部２２１ｉと、Ｅ−ＨＩＣＨ送信部２２１ｊと、Ｅ−ＡＧＣＨ送信部２２１ｋと、Ｅ−ＲＧＣＨ送信部２２１ｌと、ＤＰＤＣＨ逆拡散・ＲＡＫＥ合成部２２１ｍと、ＤＰＤＣＨ復号部２２１ｎ、ＤＰＣＨ送信部２２１ｏとを具備している。【００８１】  なお、これらの構成は、必ずしもハードウエアとして独立して存在している必要はない。すなわち、各構成が、合体していてもよいし、ソフトウエアのプロセスによって構成されていてもよい。【００８２】  Ｅ−ＤＰＣＣＨ逆拡散・ＲＡＫＥ部２２１ａは、Ｅ−ＤＰＣＣＨに対して逆拡散処理及びＲＡＫＥ合成処理を施すように構成されている。【００８３】  Ｅ−ＤＰＣＣＨ復号部２２１ｂは、Ｅ−ＤＰＣＣＨ逆拡散・ＲＡＫＥ部２２１ａからの出力に基づいて、上りユーザデータの伝送速度を判定するためのＥ−ＴＦＣＩ（又は、Ｅ−ＴＦＲＩ：Ｅｎｈａｎｃｅｄ  Ｔｒａｎｓｐｏｒｔ  Ｆｏｒｍａｔ  ａｎｄ  Ｒｅｓｏｕｒｃｅ  Ｉｎｄｉｃａｔｏｒ）を復号して、ＭＡＣ−ｅ機能部２２２に送信するように構成されている。【００８４】  Ｅ−ＤＰＤＣＨ逆拡散・ＲＡＫＥ合成部２２１ｃは、Ｅ−ＤＰＤＣＨに対して、Ｅ−ＤＰＤＣＨが取り得る最高レートに対応する拡散率（最小の拡散率）及びマルチコード数を用いて逆拡散処理を施して、バッファ２２１ｄに蓄積するように構成されている。かかる拡散率及びマルチコード数を用いて���拡散処理を行うことによって、移動局ＵＥが取り得る最高レート（ビットレート）まで受信できるようにリソースを確保することができる。【００８５】  再逆拡散部２２１ｅは、ＭＡＣ−ｅ機能部２２２から通知された拡散率及びマルチコード数を用いて、バッファ２２１ｄに記憶されているデータに対して再逆拡散処理を施して、ＨＡＲＱバッファ２２１ｆに蓄積するように構成されている。【００８６】  誤り訂正復号部２２１ｇは、ＭＡＣ−ｅ機能部２２２から通知された符号化レートに基づいて、バッファ２２１ｄに記憶されているデータに対して誤り訂正復号処理を施すことによって取得した上りユーザデータ（Ｅ−ＤＣＨ）をＭＡＣ−ｅ機能部２２２に送信するように構成されている。【００８７】  伝送チャネル符号化部２２１ｈは、ＭＡＣ−ｅ機能部２２２から受信した上りユーザデータ用のＡＣＫ／ＮＡＣＫ及びスケジューリング情報について、必要な符号化処理を施すように構成されている。【００８８】  物理チャネルマッピング部２２１ｉは、伝送チャネル符号化部２２１ｈからの上りユーザデータ用のＡＣＫ／ＮＡＣＫをＥ−ＨＩＣＨにマッピングし、伝送チャネル符号化部２２１ｈからのスケジューリング情報（絶対伝送速度）をＥ−ＡＧＣＨにマッピングし、伝送チャネル符号化部２２１ｈからのスケジューリング情報（相対伝送速度）をＥ−ＲＧＣＨにマッピングするように構成されている。【００８９】  Ｅ−ＨＩＣＨ送信部２２１ｊは、上述のＥ−ＨＩＣＨについての送信処理を行うように構成されている。また、Ｅ−ＨＩＣＨ送信部２２１ｊは、スケジューリング部２２２ｃから通知される第１のＥ−ＨＩＣＨオフセット又は第２のＥ−ＨＩＣＨオフセットと、下りＤＰＣＨの送信電力とに基づいて、Ｅ−ＨＩＣＨの送信電力を決定し、決定した送信電力でＥ−ＨＩＣＨを送信するように構成されている。【００９０】  具体的には、ＤＰＣＨ送信部２２１ｏから下りＤＰＣＨの送信電力を取得し、当該ＤＰＣＨの送信電力に対して、スケジューリング部２２２ｃから通知された第１のＥ−ＨＩＣＨオフセット又は第２のＥ−ＨＩＣＨオフセットを乗算又は加算することで、Ｅ−ＨＩＣＨの送信電力を決定するように構成されている。【００９１】  なお、第１のＥ−ＨＩＣＨオフセット及び第２のＥ−ＨＩＣＨオフセットについては後述する。【００９２】  Ｅ−ＡＧＣＨ送信部２２１ｋは、上述のＥ−ＡＧＣＨについての送信処理を行うように構成されており、Ｅ−ＲＧＣＨ送信部２２１ｌは、上述のＥ−ＲＧＣＨについての送信処理を行うように構成されている。【００９３】  ＤＰＤＣＨ逆拡散・ＲＡＫＥ部２２１ｍは、ＤＰＤＣＨに対して逆拡散処理及びＲＡＫＥ合成処理を施すように構成されている。【００９４】  ＤＰＤＣＨ復号部２２１ｎは、ＤＰＤＣＨ逆拡散・ＲＡＫＥ部２２１ｍからの出力に基づいて、移動局ＵＥから送信された上りユーザデータを復号して、ＤＣＨ（Ｄｅｄｉｃａｔｅｄ  Ｃｈａｎｎｅｌ）を介してＭＡＣ−ｅ機能部２２２に送信するように構成されている。【００９５】  ここで、上述した上りユーザデータには、移動局ＵＥから送信された共通パイロット信号の受信電力の測定報告（Ｍｅａｓｕｒｅｍｅｎｔ  ｒｅｐｏｒｔ）が含まれている。【００��６】  ＤＰＣＨ送信部２２１ｏは、無線基地局ＮｏｄｅＢから送信される下り個別物理チャネル（ＤＰＣＨ：Ｄｅｄｉｃａｔｅｄ  Ｐｈｙｓｉｃａｌ  Ｃｈａｎｎｅｌ）についての送信処理を行うように構成されている。【００９７】  また、ＤＰＣＨ送信部２２１ｏは、下りＤＰＣＨ送信電力をＥ−ＨＩＣＨ送信部２２１ｊへ通知するように構成されている。【００９８】  図１１に示すように、ＭＡＣ−ｅ機能部２２２は、ＨＡＲＱ処理部２２２ａと、受信処理命令部２２２ｂと、スケジューリング部２２２ｃと、多重化解除部２２２ｄとを具備している。【００９９】  ＨＡＲＱ処理部２２２ａは、レイヤ１機能部２２１から受信した上りユーザデータ（Ｅ−ＤＣＨ）及びＨＡＲＱ情報を受信して、当該上りユーザデータ（Ｅ−ＤＣＨ）についてのＨＡＲＱ処理を行うように構成されている。【０１００】  また、ＨＡＲＱ処理部２２２ａは、当該上りユーザデータ（Ｅ−ＤＣＨ）についての受信処理結果を示すＡＣＫ／ＮＡＣＫ（上りユーザデータ用）をレイヤ１機能部２２１に通知するように構成されている。また、ＨＡＲＱ処理部２２２ａは、プロセスごとのＡＣＫ／ＮＡＣＫ（上りユーザデータ用）をスケジューリング部２２２ｃに通知するように構成されている。【０１０１】  受信処理命令部２２２ｂは、レイヤ１機能部２２１のＥ−ＤＰＣＣＨ復号部２２１ｂから受信したＴＴＩごとのＥ−ＴＦＣＩによって特定された各移動局ＵＥのトランスポートフォーマットに係る拡散率及びマルチコード数を再逆拡散部２２１ｅ及びＨＡＲＱバッファ２２１ｆに通知し、符号化レートを誤り訂正復号部２２１ｇに通知するように構成されている。【０１０２】  スケジューリング部２２２ｃは、レイヤ１機能部２２１のＥ−ＤＰＣＣＨ復号部２２１ｂから受信したＴＴＩごとのＥ−ＴＦＣＩや、ＨＡＲＱ処理部２２２ａから受信したプロセスごとのＡＣＫ／ＮＡＣＫや、干渉レベル等に基づいて、上述の上りユーザデータの絶対伝送速度又は相対伝送速度を変更するように構成されている。【０１０３】  なお、スケジューリング部２２２ｃは、スケジューリング情報として、かかる上りユーザデータの絶対伝送速度又は相対伝送速度を、ＤＣＨを介してレイヤ１機能部２２１に通知するように構成されている。【０１０４】  また、スケジューリング部２２２ｃは、無線回線制御局ＲＮＣから送信される、移動局ＵＥがＳＨＯ状態であることを示すＳＨＯ状態を受信するように構成されている。また、スケジューリング部２２２ｃは、移動局ＵＥがＳＨＯ状態でないことを示すＳＨＯ状態を受信するように構成されていもよい。【０１０５】  また、スケジューリング部２２２ｃは、第１のＥ−ＨＩＣＨオフセットと、第２のＥ−ＨＩＣＨオフセットとを記憶するように構成されている。【０１０６】  第１のＥ−ＨＩＣＨオフセットは、移動局ＵＥがＳＨＯでない場合、Ｅ−ＨＩＣＨの送信電力を決定する際に用いる非ＳＨＯ状態におけるＥ−ＨＩＣＨオフセットである。また、第２のＥ−ＨＩＣＨオフセットは、移動局ＵＥがＳＨＯである場合、Ｅ−ＨＩＣＨの送信電力を決定する際に用いるＳＨＯ状態におけるＥ−ＨＩＣＨオフセットである。【０１０７】  また、第２のＥ−ＨＩＣＨオフセットは、Ｅ−ＨＩＣＨと下り���ＰＣＨとの送信電力比であり、第１のＥ−ＨＩＣＨオフセットよりも大きくなるように設定されている。【０１０８】  ここで、スケジューリング部２２２ｃは、上述した移動局ＵＥがＳＨＯ状態であることを示すＳＨＯ状態を受信した場合、第１のＥ−ＨＩＣＨオフセットを送信電力情報としてＤＣＨを介してレイヤ１機能部２２１に通知するように構成されている。【０１０９】  また、スケジューリング部２２２ｃは、上述した移動局ＵＥがＳＨＯ状態でないことを示すＳＨＯ状態を受信した場合、第２のＥ−ＨＩＣＨオフセットを送信電力情報としてＤＣＨを介してレイヤ１機能部２２１に通知するように構成されている。【０１１０】    多重化解除部２２２ｄは、ＨＡＲＱ処理部２２２ａから受信した上りユーザデータ（Ｅ−ＤＣＨ）に対して多重化解除処理を施すことによって取得した上りユーザデータをＨＷＹインターフェース２１に送信するように構成されている。【０１１１】  本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。【０１１２】  図１２に示すように、本実施形態に係る無線回線制御局ＲＮＣは、交換局インターフェース３１と、ＬＬＣレイヤ処理部３２と、ＭＡＣレイヤ処理部３３と、メディア信号処理部３４と、無線基地局インターフェース３５と、呼処理制御部３６とを具備している。【０１１３】  交換局インターフェース３１は、交換局１とのインターフェースである。交換局インターフェース３１は、交換局１から送信された下りリンク信号をＬＬＣレイヤ処理部３２に転送し、ＬＬＣレイヤ処理部３２から送信された上りリンク信号を交換局１に転送するように構成されている。【０１１４】  ＬＬＣレイヤ処理部３２は、シーケンスパターン番号等のヘッダ又はトレーラの合成処理等のＬＬＣ（論理リンク制御：Ｌｏｇｉｃａｌ  Ｌｉｎｋ  Ｃｏｎｔｒｏｌ）サブレイヤ処理を施すように構成されている。ＬＬＣレイヤ処理部３２は、ＬＬＣサブレイヤ処理を施した後、上りリンク信号については交換局インターフェース３１に送信し、下りリンク信号についてはＭＡＣレイヤ処理部３３に送信するように構成されている。【０１１５】  ＭＡＣレイヤ処理部３３は、優先制御処理やヘッダ付与処理等のＭＡＣレイヤ処理を施すように構成されている。ＭＡＣレイヤ処理部３３は、ＭＡＣレイヤ処理を施した後、上りリンク信号についてはＬＬＣレイヤ処理部３２に送信し、下りリンク信号については無線基地局インターフェース３５（又は、メディア信号処理部３４）に送信するように構成されている。【０１１６】  メディア信号処理部３４は、音声信号やリアルタイムの画像信号に対して、メディア信号処理を施すように構成されている。メディア信号処理部３４は、メディア信号処理を施した後、上りリンク信号についてはＭＡＣレイヤ処理部３３に送信し、下りリンク信号については無線基地局インターフェース３５に送信するように構成されている。【０１１７】  無線基地局インターフェース３５は、無線基地局ＮｏｄｅＢとのインターフェースである。無線基地局インターフェース３５は、無線基地局ＮｏｄｅＢから送信された上り��ンク信号をＭＡＣレイヤ処理部３３（又は、メディア信号処理部３４）に転送し、ＭＡＣレイヤ処理部３３（又は、メディア信号処理部３４）から送信された下りリンク信号を無線基地局ＮｏｄｅＢに転送するように構成されている。【０１１８】  呼処理制御部３６は、無線リソース管理処理や、レイヤ３シグナリングによるチャネルの設定及び開放処理等を施すように構成されている。ここで、無線リソース管理には、呼受付制御やハンドオーバー制御等が含まれる。【０１１９】（本発明の第１の実施形態に係る移動通信システムの動作）
以下、図１３及び図１４参照して、本実施形態に係る移動通信システムの動作について説明する。具体的には、本実施形態に係る移動通信システムにおいて、上りユーザデータ用の送達確認チャネル（Ｅ−ＨＩＣＨ）の送信電力を制御する動作について説明する。【０１２０】  なお、本実施形態に係る無線基地局ＮｏｄｅＢは、一つ又は複数のセルを管理するように構成されている。また、本実施形態に係る当該セルは、無線基地局ＮｏｄｅＢの機能を具備する場合を例に説明する
第１に、移動局ＵＥが、セル＃１０とのみ無線リンクが設定されている状態（非ＳＨＯ状態）から、セル＃１０及びセル＃２０との無線リンクが設定されている状態（ＳＨＯ状態）に遷移する場合を例に、セル＃１０がＥ−ＨＩＣＨの送信電力を制御する動作を示す。【０１２１】  ここで、本実施形態における無線リンクには、移動局ＵＥとセルとの間のＤＰＣＨ及びＥ−ＤＰＤＣＨが含まれる。よって、本実施形態では、移動局ＵＥが、一つのセルのみと無線リンクを設定している場合を非ＳＨＯ状態とし、複数のセルと無線リンクを設定している場合をＳＨＯ状態として以下に示す。【０１２２】  また、図１３及び図１４におけるセル＃１０は、移動局ＵＥのサービングセルであり、＃２０は移動局ＵＥの非サービングセルである。【０１２３】  また、本実施形態におけるセル＃１０及びセル＃２０は、同一の無線基地局ＮｏｄｅＢに管理されるように構成されていてもよいし、セル＃１０とセル＃２０とで、異なる無線基地局ＮｏｄｅＢによって管理されるように構成されていてもよい。【０１２４】  図１３に示すように、ステップＳ１００１において、移動局ＵＥは、セル＃１０を介して、上りユーザデータを送信するためのデータコネクション（Ｅ−ＤＰＤＣＨ）を無線回線制御局ＲＮＣと確立している。【０１２５】  かかる場合、セル＃１０は、下りＤＰＣＨの送信電力と、第１のＥ−ＨＩＣＨオフセットとに基づいて、Ｅ−ＨＩＣＨの送信電力を決定する。【０１２６】  具体的には、セル＃１０は、閉ループ送信電力制御された下りＤＰＣＨの送信電力に対して、スケジューリング部２２２ｃに記憶されている第１のＥ−ＨＩＣＨオフセットを乗算又は加算することで、Ｅ−ＨＩＣＨの送信電力を決定する。【０１２７】  ステップＳ１００２において、移動局ＵＥは、セル＃２０からの共通パイロット信号の受信電力が、所定の値以上になった場合、測定報告（Ｍｅａｓｕｒｅｍｅｎｔ  ｒｅｐｏｒｔ）を無線回線制御局ＲＮＣに送信する。【０１２８】  ステップＳ１００３において、無線回線制御局ＲＮＣは、当該測定報告に基づいて、セル＃２０を管理する無線基地局ＮｏｄｅＢ＃２に対して、移動局ＵＥとセル＃２０との間の上り無線リンクを同期するように要求する。【０１２９】  具体的には、無線回線制御局ＲＮＣは、セル＃２０を管理する無線基地局ＮｏｄｅＢ＃２に対して、上り無線リンクにおけるチャネル構成を識別するチャネライゼーションコードと、移動局ＵＥを識別するスクランブリングコードとを含むＳＨＯ設定要求を送信することによって、移動局ＵＥとセル＃２０との間の上り無線リンクを同期するように要求する。【０１３０】  ステップＳ１００４において、セル＃２０を管理する無線基地局ＮｏｄｅＢ＃２は、移動局ＵＥとセル＃２０との間の上り無線リンクの同期を確立する。【０１３１】  具体的には、セル＃２０を管理する無線基地局ＮｏｄｅＢ＃２は、無線回線制御局ＲＮＣから受信したチャネライゼーションコードとスクランブリングコードとを用いて、上り無線リンクにおいて、移動局ＵＥから送信されているチャネルを検出することによって、移動局ＵＥとセル＃２０との間の上り無線リンクの同期を確立する。当該移動局ＵＥとセル＃２０との間の上り無線リンクの同期が確立された場合、セル＃２０を管理する無線基地局ＮｏｄｅＢ＃２は、無線回線制御局ＲＮＣへＳＨＯ設定応答を送信する。また、セル＃２０は、当該移動局ＵＥに対して、下り無線リンクにおいて、ＤＰＣＨ等の送信を開始する。【０１３２】  ステップＳ１００５において、無線回線制御局ＲＮＣは、移動局ＵＥに対して、セル＃２０と移動局ＵＥとの間の下り無線リンクを同期するように要求する。【０１３３】  具体的には、無線回線制御局ＲＮＣは、移動局ＵＥに対して、下り無線リンクにおけるチャネル構成を識別するチャネライゼーションコードと、セル＃２０を識別するスクランブリングコードとを含むＳＨＯ設定要求を送信することによって、セル＃２０と移動局ＵＥとの間の下り無線リンクを同期するように要求する。【０１３４】  ステップＳ１００６において、移動局ＵＥは、セル＃２０と移動局ＵＥとの間の下り無線リンクの同期を確立する。【０１３５】  具体的には、移動局ＵＥは、無線回線制御局ＲＮＣから受信したチャネライゼーションコードとスクランブリングコードとを用いて、下り無線リンクにおける、セル＃２０からのチャネルを検出することによって、セル＃２０と移動局ＵＥとの間の下り無線リンクの同期を確立する。当該セル＃２０と移動局ＵＥとの間の下り無線リンクの同期が確立された場合、移動局ＵＥは、ＳＨＯ設定応答を無線回線制御局ＲＮＣ送信する。【０１３６】  ステップＳ１００７において、無線回線制御局ＲＮＣは、セル＃１０を管理する無線基地局ＮｏｄｅＢ＃１と、セル＃２０を管理する無線基地局ＮｏｄｅＢ＃２とに対して、移動局ＵＥが非ＳＨＯ状態からＳＨＯ状態に遷移したことを通知するＳＨＯ状態通知を送信する。【０１３７】  ステップＳ１００８において、セル＃１０は、移動局ＵＥがＳＨＯ状態に遷移したことを認識し、セル＃１０は、スケジューリング部２２２ｃに記憶されている第２のＥ−ＨＩＣＨオフセットに基づいて、Ｅ−ＨＩＣＨの送信電力を決定する。【０１３８】  一方、セル＃２０も、移動局ＵＥがＳＨＯ状態に遷移したことを認識し、スケジューリング部２２２ｃに記憶されている第２のＥ−ＨＩＣＨオフセットに基づいて、Ｅ−ＨＩＣＨの送信電力を決定する。【０１３９】  このように、セル＃１０及びセル＃２０は、Ｅ−ＨＩＣＨの送信先である移動局ＵＥがＳＨＯ状態である場合、第１のＥ−ＨＩＣＨオフセットより大きい第２のＥ−ＨＩＣＨオフセットを用いて、Ｅ−ＨＩＣＨの送信電力を強くすることによって、Ｅ−ＨＩＣＨをＳＨＯ状態の移動局ＵＥに到達させることができる。【０１４０】  第２に、移動局ＵＥが、セル＃１０及びセル＃２０との間の無線リンクが設定されているＳＨＯ状態からセル＃１０とのみ無線リンクが設定されている非ＳＨＯ状態に遷移し、セル＃１０がＥ−ＨＩＣＨの送信電力を制御する動作を示す。【０１４１】  図１４に示すように、ステップＳ２００１において、移動局ＵＥが、セル＃２０からの共通パイロット信号の受信電力が、所定の値未満となった場合、測定報告（Ｍｅａｓｕｒｅｍｅｎｔ  ｒｅｐｏｒｔ）を無線回線制御局ＲＮＣに送信する。【０１４２】  ステップＳ２００２において、無線回線制御局ＲＮＣは、当該測定報告に基づいて、セル＃２０を管理する無線基地局ＮｏｄｅＢ＃２に対して、移動局ＵＥとセル＃２０との間の上り無線リンクの設定を停止するように要求する。また、無線回線制御局ＲＮＣは、移動局ＵＥに対して、ＳＨＯ解除要求を送信し、セル＃２０と移動局ＵＥとの間の下り無線リンクの設定を停止するように要求する。【０１４３】  ステップＳ２００３において、無線回線制御局ＲＮＣは、セル＃１０を管理する無線基地局ＮｏｄｅＢ＃１と、セル＃２０を管理する無線基地局ＮｏｄｅＢ＃２とに対して、移動局ＵＥがＳＨＯ状態から非ＳＨＯ状態に遷移したことを通知するＳＨＯ状態通知を送信する。【０１４４】  ステップＳ２００４において、セル＃１０は、移動局ＵＥが非ＳＨＯ状態に遷移したことを認識し、セル＃１０は、スケジューリング部２２２ｃに記憶されている第１のＥ−ＨＩＣＨオフセットに基づいて、Ｅ−ＨＩＣＨの送信電力を決定する。【０１４５】  このように、セル＃１０は、Ｅ−ＨＩＣＨの送信先である移動局ＵＥが非ＳＨＯ状態である場合、第１のＥ−ＨＩＣＨオフセットを用いて、Ｅ−ＨＩＣＨの送信電力を調整することによって、無線回線容量を有効に使用することができる。【０１４６】（本発明の第１の実施形態に係る移動通信システムの作用・効果）
以上説明したように、本発明に係る送信電力制御方法及び移動通信システムによれば、移動局ＵＥがＳＨＯ状態の場合には、セル又はセルを管理する無線基地局ＮｏｄｅＢは、Ｅ−ＨＩＣＨオフセットを大きくし、Ｅ−ＨＩＣＨの送信電力を大きくすることができるので、Ｅ−ＨＩＣＨを移動局ＵＥに確実に到達させることができる。
【図面の簡単な説明】
【０１４７】
【図１】本発明の第１の実施形態に係る移動局の機能ブロック図である。
【図２】本発明の第１の実施形態に係る移動局のベースバンド信号処理部の機能ブロック図である。
【図３】本発明の第１の実施形態に係る移動局のベースバンド信号処理部の機能を説明するための図である。
【図４】本発明の第１の実施形態に係る移動局のベースバンド信号処理部におけるＭＡＣ−ｅ機能部の機能ブロック図である
【図５】本発明の第１の実施形態に係る移動局のベースバンド信号処理部におけるＭＡＣ−ｅ機能部のＨＡＲＱ処理部によって行われる４チャネルのストップアンドウェイトプロトコルの動作例を示す図である。
【図６】本発明の第１の実施形態に係る移動局のベースバンド信号処理部におけるレイヤ１機能部の機能ブロック図である。
【図７】本発明の第１の実施形態に係る移動局のベースバンド信号処理部におけるレイヤ１機能部の機能を説明するための図である。
【図８】本発明の第１の実施形態に係る無線基地局の機能ブロック図である。
【図９】本発明の第１の実施形態に係る無線基地局のベースバンド信号処理部の機能ブロック図である。
【図１０】本発明の第１の実施形態に係る無線基地局のベースバンド信号処理部におけるレイヤ１機能部の機能ブロック図である。
【図１１】本発明の第１の実施形態に係る無線基地局のベースバンド信号処理部におけるＭＡＣ−ｅ機能部の機能ブロック図である。
【図１２】本発明の第１の実施形態に係る無線回線制御局ＲＮＣの機能ブロック図である。
【図１３】本発明の第１の実施形態に係る送信電力制御方法の一例を示すシーケンス図である。
【図１４】本発明の第１の実施形態に係る送信電力制御方法の一例を示すシーケンス図である。
【図１５】一般的な移動通信システムの全体構成図である。
【図１６】従来技術に係る移動通信システムにおいて送信電力を制御する方法を説明するための図である。
【図１７】従来技術に係る移動通信システムの全体構成図である。
【図１８】従来技術に係る移動通信システムにおける送信電力制御方法について説明するための図である。
【図１９】従来技術に係る移動通信システムにおける送信電力制御方法について説明するための図である。
【符号の説明】
【０１４８】  １…移動局ＵＥ、１１…バスインターフェース部、１２…呼処理制御部、１３…ベースバンド信号処理部、１３１…上位レイヤ機能部、１３２…ＲＬＣ機能部、１３３…ＭＡＣ−ｄ機能部、１３４…ＭＡＣ−ｅ機能部、１３４ａ…多重部、１３４ｂ…Ｅ−ＴＦＣ選択部、１３４ｃ…ＨＡＲＱ処理部、１３５…レイヤ１機能部、１３５ａ…伝送チャネル符号化部、１３５ｂ…物理チャネルマッピング部、１３５ｃ…Ｅ−ＤＰＤＣＨ送信部、１３５ｄ…Ｅ−ＤＰＣＣＨ送信部、１３５ｅ…Ｅ−ＨＩＣＨ受信部、１３５ｆ…Ｅ−ＲＧＣＨ受信部、１３５ｇ…Ｅ−ＡＧＣＨ受信部、１３５ｈ…物理チャネルデマッピング部、１３５ｉ…ＤＰＤＣＨ送信部、１４…送受信部、１５…送受信アンテナ、２…無線基地局ＮｏｄｅＢ、２１…ＨＷＹインターフェース、２２…ベースバンド信号処理部、２２１…レイヤ１機能部、２２１ａ…Ｅ−ＤＰＣＣＨ逆拡散・ＲＡＫＥ合成部、２２１ｂ…Ｅ−ＤＰＣＣＨ復号部、２２１ｃ…Ｅ−ＤＰＤＣＨ逆拡散・ＲＡＫＥ合成部、２２１ｄ…バッファ、２２１ｅ…再逆拡散部、２２１ｆ…ＨＡＲＱバッファ、２２１ｇ…誤り訂正復号部、２２１ｈ…伝送チャネル符号化部、２２１ｉ…物理チャネルマッピング部、２２１ｊ…Ｅ−ＨＩＣＨ送信部、２２１ｋ…Ｅ−ＡＧＣＨ送信部、２２１ｌ…Ｅ−ＲＧＣＨ送信部、２２１ｍ…ＤＰＤＣＨ逆拡散・ＲＡＫＥ合成部、２２１ｎ…ＤＰＤＣＨ復号部、２２１ｏ…ＤＰＣＨ送信部、２２２…ＭＡＣ−ｅ機能部、２２２ａ−ＨＡＲＱ処理部、２２２ｂ…受信処理命令部、２２２ｃ…スケジューリング部、２２２ｄ…多重化解除部、２３…送受信部、２４…アンプ部、２５…送受信アンテナ、２６…呼処理制御部、３１…交換局インターフェース、３２…ＬＬＣレイヤ処理部、３３…ＭＡＣレイヤ処理部、３４…メディア信号処理部、３５…無線基地局インターフェース、３６…呼処理制御部
【図１】
0004636981.tif 000002
【図２】
0004636981.tif 000003
【図３】
0004636981.tif 000004
【図４】
0004636981.tif 000005
【図５】
0004636981.tif 000006
【図６】
0004636981.tif 000007
【図７】
0004636981.tif 000008
【図８】
0004636981.tif 000009
【図９】
0004636981.tif 000010
【図１０】
0004636981.tif 000011
【図１１】
0004636981.tif 000012
【図１２】
0004636981.tif 000013
【図１３】
0004636981.tif 000014
【図１４】
0004636981.tif 000015
【図１５】
0004636981.tif 000016
【図１６】
0004636981.tif 000017
【図１７】
0004636981.tif 000018
【図１８】
0004636981.tif 000019
【図１９】
0004636981.tif 000020